(57)【要約】【課題】  転送元で登録したプレイリストを転送先で実現するには、プレイリストで必要としないデータまで送る無駄が生じる。【解決手段】  記録再生機器間のデータ転送において、一方のプレイリストファイルを他方の装置で実現しようとする際に、プレイリストに該当するデータ部分だけを繋げて一つのファイルとして転送する。また、プレイリストに関連する動画音声ファイル全てとプレイリストファイルを転送するか、プレイリストファイルに登録された動画音声データ部分を繋げて一つの動画音声ファイルとして転送するかを選択する手段を具備する。これにより、転送データ量を削減でき、転送先での編集工数を削減できる。【選択図】        図１
2006073173.tif 000002
【特許請求の範囲】
【請求項１】
情報記録再生装置において、
動画音声データ及びプレイリストファイルを記録再生する情報記録再生手段と、
記録した動画音声データを記録媒体にファイルとして登録する登録手段と、
該ファイルの全体または一部を複数個順番に再生する場合の再生順序を登録するプレイリストファイルを作成する作成手段と、
前記記録媒体に記録された前記プレイリストファイルを、他の機器の記録媒体に転送し、記録する場合に、前記プレイリストファイルに登録された動画音声データ部分を繋げて一つの動画音声ファイルとして該記録媒体に転送、記録を指示する指示手段とを有することを特徴とする情報記録再生装置。
【請求項２】
情報記録再生方法において、
動画音声データが登録されているファイルの全体又は一部を、複数個順番に再生する場合の再生順序が登録されたプレイリストを有する記録媒体から、他の記録媒体に前記プレイリストの転送、記録を指示し、
前記転送する際には、前記プレイリストに登録された動画音声データ部分を繋げて一つの動画音声ファイルとして他の記録媒体に転送、記録することを特徴とする情報記録再生方法。
【請求項３】
情報記録再生装置において、
動画音声データ及びプレイリストファイルを記録再生する情報記録再生手段と、
動画音声データが登録されているファイルの全体又は一部を、複数個順番に再生する場合の再生順序が登録されたプレイリストを有する記録媒体から前記装置に内蔵された記録媒体に前記プレイリストを転送、記録する場合に、
前記プレイリストに登録された動画音声データ部分を繋げて一つの動画音声ファイルとして前記内蔵型記録媒体に転送、記録する転送手段とを有することを特徴とする情報記録再生装置。 
【発明の詳細な説明】
【技術分野】
【０００１】
本発明は、カムコーダ等の情報記録媒体に情報を記録又は再生する情報記録再生装置及び方法、特に、二つのカムコーダやＤＶＤ、ＨＤＤレコーダ等の情報記録再生装置やパーソナルコンピュータ（ＰＣ）間で、ＭＰＥＧ規格等で符号化された動画、音声データを転送する技術に関するものである。
【背景技術】
【０００２】
従来、ディスクカムコーダ等の動画、音声データ記録再生装置を用いて、ディスク媒体上に記録された動画データを編集するには、通常は動画データのファイル単位の削除か、プレイリストによる仮想編集（非破壊編集）が行われている。このプレイリストファイルを他の記録再生装置やＰＣに接続して転送する際には、プレイリストファイルと関連する動画、音声データの全てを転送する必要がある。
【０００３】
例えば、図２に示すようにプレイリストを転送先記録再生装置で実現するためには、転送するデータの総量は、
６，０００，０００［ｂｉｔ／ｓｅｃ］×（８０［ｍｉｎ］×６０［ｓｅｃ］）
＝２．８８×１０１０［ｂｉｔ］    …（１）
となる。なお、ＭＰＥＧ２のＭＰ@ＭＬの最大ビットレートが１５Ｍｂｐｓであることを考慮して、動画、音声データのビットレートは６［Ｍｂｐｓ］とした。
【０００４】
転送する際にＵＳＢ１．０のフルスピードモードで行うと、転送速度は１２Ｍｂｐｓなので転送にかかる時間は、
２．８８×１０１０［ｂｉｔ］÷１２，０００，０００［ｂｉｔ／ｓｅｃ］
＝４０［分］    …（２）
となる。更に、この時間にプレイリストファイルを送る時間が加算される。
【０００５】
しかし、再生に必要なデータの総量は、
６，０００，０００［ｂｉｔ／ｓｅｃ］×（４５［ｍｉｎ］×６０［ｓｅｃ］）
＝１．６２×１０１０［ｂｉｔ］    …（３）
である。転送先でプレイリストを実現する上で、残りの１．０８×１０１０［ｂｉｔ］は再生には使用しないデータなので、その分冗長的な転送に要する時間が生じている。このようなプレイリストに関連する技術としては、例えば、特開２００３−６９７９号公報等に記載されている（特許文献１）。
また、転送先でユーザが、プレイリストを参照した実編集を要求することが考えられる。これを図１５、図１６を用いて説明する。図１６は動作のフローチャートを示す。最初にプレイリストファイルに該当しないデータ部分を消去する（Ｓ１０１）。そして、プレイリストファイルに該当する部分をプレイリスト記載の再生手順で、一つのファイルとして登録する（Ｓ１０２）。最後に、プレイリストファイルを消去して（Ｓ１０３）、実編集を終了する。
【特許文献１】特開２００３−６９７９号公報
【発明の開示】
【発明が解決しようとする課題】
【０００６】
この様に転送元で登録したプレイリストを転送先で実現しようとする際には、プレイリストで必要としないデータまで送る無駄が生じていた。そのため、プレイリストに該当するデータ量が関連するファイル全体のデータ量に比べて割合が小さく、プレイリストファイルに関連している動画、音声ファイルの数が多いほど、冗長的な転送に要する時間が増えてしまう。また、転送先においてプレイリストを元に実編集を行う際には、動画、音声データの消去やプレイリストファイルの消去等の処理があり、ユーザに負担がかかっていた。
【課題を解決するための手段】
【０００７】
上記課題を解決するために、以下を提供する。
【０００８】
情報記録再生装置において、動画音声データ及びプレイリストファイルを記録再生する情報記録再生手段と、記録した動画音声データを記録媒体にファイルとして登録する登録手段と、該ファイルの全体または一部を複数個順番に再生する場合の再生順序を登録するプレイリストファイルを作成する作成手段と、前記記録媒体に記録された前記プレイリストファイルを、他の機器の記録媒体に転送し、記録する場合に、前記プレイリストファイルに登録された動画音声データ部分を繋げて一つの動画音声ファイルとして該記録媒体に転送、記録を指示する指示手段とを有することを特徴とする情報記録再生装置。
【０００９】
また、情報記録再生方法において、動画音声データが登録されているファイルの全体又は一部を、複数個順番に再生する場合の再生順序が登録されたプレイリストを有する記録媒体から、他の記録媒体に前記プレイリストの転送、記録を指示し、前記転送する際には、前記プレイリストに登録された動画音声データ部分を繋げて一つの動画音声ファイルとして他の記録媒体に転送、記録することを特徴とする情報記録再生方法。
【００１０】
また、情報記録再生装置において、動画音声データ及びプレイリストファイルを記録再生する情報記録再生手段と、動画音声データが登録されているファイルの全体又は一部を、複数個順番に再生する場合の再生順序が登録されたプレイリストを有する記録媒体から前記装置に内蔵された記録媒体に前記プレイリストを転送、記録する場合に、前記プレイリストに登録された動画音声データ部分を繋げて一つの動画音声ファイルとして前記内蔵型記録媒体に転送、記録する転送手段とを有することを特徴とする情報記録再生装置。 
【発明の効果】
【００１１】
本発明によれば、プレイリストファイルが指定する部分がファイル全体の割合に対し少ない時は、転送量が少なくなり転送時間も少なくなる。
【００１２】
また、転送先で実編集を行う必要がなく、ユーザの負担を軽減でき、転送先の記憶容量も削減できる。
【発明を実施するための最良の形態】
【００１３】
次に、発明を実施するための最良の形態について図面を参照しながら詳細に説明する。なお、以下の説明において、プレイリストファイルの拡張子を（．ｐｌｆ）、動画、音声ファイルの拡張子を（．ｍｐｇ）とする。
【００１４】
（ＭＰＥＧのデータ構造とシーケンスヘッダ）
ＭＰＥＧデータストリームはビデオ・ストリームとオーディオストリームからなり、それらがシステム情報と共に多重化され、パッキングされてシステムデータストリームとなっている。ＭＰＥＧデータストリームのビデオ層はシーケンス、ＧＯＰ（Group of Pictures）、ピクチャ、スライス、マクロブロック（ＭＢ）、ブロックの６層からなり、ＭＢ以外の層では先頭にヘッダが用意されている。
【００１５】
図３は動画データがＭＰＥＧ２フォーマットで構成されている場合のデータ構造として、シーケンス層とＧＯＰ層の概略を示している。また、シーケンスヘッダに含まれるデータの種類を図４に示す。シーケンスヘッダは画像のサイズ、アスペクト比（画像の縦横比）、ピクチャレート、ビットレート等のパラメータを指定している。
【００１６】
（ＧＯＰとピクチャの説明）
デジタル動画データはピクチャを連続的に再生することで構成されている。図３はデジタル動画データがＭＰＥＧ２フォーマットで構成されている場合のデータ構造を示すものである。ここで示すＧＯＰは何枚かのピクチャを一まとまりにした単位である。画像データは、Ｉピクチャ、Ｐピクチャ、Ｂピクチャの三つのタイプがある。Ｉピクチャは他のピクチャの情報を参照せずに符号化するが、Ｐピクチャは前方のＩピクチャかＰピクチャを、Ｂピクチャは前後にあるＩピクチャかＰピクチャを参照して符号化する。また、図３に示す様に符号化されたデータを記録する順番と再生する順番は異なる。
【００１７】
また、ＧＯＰには図５に示す様にＧＯＰ内の最初のＢピクチャが以前のＧＯＰ内Ｉ、Ｐピクチャを参照するオープンＧＯＰ（ａ）と、ＧＯＰ内部のみでピクチャの参照を行い、独立しているクローズドＧＯＰ（ｂ）とがある。
【００１８】
図６に示す様にＧＯＰヘッダにはクローズド・ＧＯＰ・フラグとブロークン・リンク・フラグが用意されている。クローズド・ＧＯＰ・フラグは、符号化時に立てられるフラグで、最初のいくつかのＢピクチャが以前のＧＯＰに依存しないことを表す。また、ブロークン・リンク・フラグは、クローズドＧＯＰでないビットストリームを編集によって切り取り、つなげた時に立てるフラグで、デコーダはブロークン・リンク・フラグがある時は、ＧＯＰの先頭、いくつかのＢピクチャを表示できない。
【００１９】
（ＭＰＥＧの符号化アルゴリズム）
図７はＭＰＥＧの符号化器を、図８はＭＰＥＧの復号化器のブロック図を示す。符号化器では、まず、Ｉ、Ｐピクチャを参照して、差分器１０１で入力画像との差分をとる。差分信号はＤＣＴ（Discrete Cosine Transform ：離散コサイン変換）１０２によりフレーム内の相関が取り除かれた後、量子化１０３で量子化が行われる。
【００２０】
量子化出力値は、値の発生頻度により、長さの異なる符号を割り当てる可変長符号化部１０４によって表現され、出力バッファ１０５に送られる。Ｉ、Ｐピクチャでは、動き予測用の参照画像として用いるため、データ復号時と同様の画像を逆量子化部１０６で逆量子化、逆ＤＣＴ部１０７で逆ＤＣＴ及び動き補償により局部復号を行い、フレームメモリ１０８に蓄積してＢ、Ｐピクチャの動き予測に用いる。
【００２１】
また、レート制御部１０９では、出力バッファ１０５に送られてくる符号量を量子化部１０３に返し、この符号量をもとに量子化テーブルの値を変えて次に量子化するデータの符号量を制御することによりレートを制御する。
【００２２】
復号化器では、符号化データ（ビットストリーム）は入力バッファ１５１に蓄積される。また、可変長復号化器１５２で可変長符号化、逆量子化部１５３で逆量子化、逆ＤＣＴ部１５４で逆ＤＣＴの処理が行われ、最後に動き補償予測部１５５の動き補償画像データを加算器１５６で加算して出力される。復号化されたピクチャのうちＩ、Ｐピクチャは動き補償用のフレームメモリ１５７に蓄積され、動き補償に用いられる。
【００２３】
（タイムスタンプと同期の説明）
ＭＰＥＧの規格では、ビデオ、オーディオ等のデジタルコンテンツを構成する要素となる複数のデジタル信号を、一つのビットストリームに多重化することが可能である。また、そのように多重化されたデータを再生する時には、夫々のデジタル信号に分離して、同期再生する必要がある。
【００２４】
図９に示すようにＭＰＥＧ２のシステムエンコーダ、システムデコーダは、基準となる時刻情報ＰＣＲ（Program Clock Reference）またはＳＣＲ（System Clock Reference）と、ビデオやオーディオの符号化の単位毎に付与される時刻情報ＰＴＳ（Presentation Time Stamp）及びＤＴＳ（Decoding Time Stamp）を多重ストリーム中に符号化することにより、デコーダ側で高精度な同期再生を行えるようにしている。
【００２５】
（ファイル管理とアクセス方法）
ＨＤＤやＤＶＤ等のディスク記憶媒体に動画、音声データを記録する際は、ファイル単位で記録する。ＨＤＤやＤＶＤ等のディスクのデータ構造を図１０に示す。ディスク上のデータはトラック（track）と呼ばれる同心円に分割されている。トラックは更にセクタ（sector）と呼ばれる円弧に分割されている。
【００２６】
図１０では全てのトラックで同数セクタを持つ場合を示しているが、この場合、内周の方が外周に比べて密度が高くなるため、外周のセクタ数を多くするものもある。セクタには夫々番号が割り振られており、あるデータをファイルとして登録する際には、ファイル名、ファイルの開始セクタ番号、データが占有するデータサイズ（例えばバイト）、データの種類等の情報をファイル情報としてデータとは別に登録する。図１１はファイル情報の一例を示すものである。
【００２７】
（タイムマップ情報）
タイムマップ情報とは、ストリーム先頭からの再生時間（例えば秒）とデータサイズ(バイト)との変換テーブルであり、図１２に示すようにＧＯＰ情報と時間情報から構成されている。ＧＯＰ情報は動画データに含まれる全てのＧＯＰに関して、再生時間（秒）、サイズ（バイト）、Ｉピクチャーサイズ（バイト）が記述されたテーブルである。
【００２８】
時間情報とは一定の間隔毎（例えば１０秒毎）に、対応するＧＯＰ番号とＧＯＰ内再生順番を示すフレーム番号、動画、音声データ先頭からＧＯＰ先頭までの位置（バイト）が記述されたテーブルである。このＧＯＰ情報と時間情報を用いれば、動画、音声データ先頭からの再生時間をバイト位置に変換できる。
【００２９】
（プレイリストの説明）
プレイリストとはファイルを実際に移動、変更、消去する実編集とは違う仮想編集である。図１３と図１４を用いてプレイリストの説明をする。プレイリストとはユーザが再生する手順を記録する方法である。図１３はプレイリストの一覧を示す。また、図１４は図１３におけるプレイリスト１３１の再生手順を、ファイルを用いて説明する図である。
【００３０】
プレイリスト１３１ではＦＩＬＥＡの０分目から１０分目まで、ＦＩＬＥＣの３０分目から４５分目まで、ＦＩＬＥＢの０分目から２０分目までの様に時間指定を行い、プレイリストファイルに登録する。プレイリストファイルに登録された時間を元にファイル情報とタイムマップ情報を参照して、ディスク上の指定された位置をアクセスし再生を行う。
【００３１】
図１４では矢印のｉ、ｉｉ、ｉｉｉの順番で連続再生する。このようにプレイリストの機能を使用すればファイルの一部を複数繋ぎ合わせて連続再生することが可能になる。またプレイリストはフレーム（ピクチャ）単位の指定が可能になっており、ユーザはピクチャ単位で指定できる精度で時間指定が行えるようになっている。
【００３２】
（プレイリストに登録したデータの転送）
図２は、従来の記録再生装置で記録されている、複数ファイルに関連付けられたプレイリストを、転送先記録再生装置でも転送元と同じ様に使用するための転送方法を示すものである。プレイリストを登録しているプレイリストファイルとプレイリストファイルに関連している動画、音声ファイルを全て転送する。
【００３３】
（本発明における情報記録再生装置）
図１７は本発明による情報記録再生装置の一実施形態を示すブロック図である。ＨＤＤや光ディスク、半導体メモリ等の記録媒体１７０と、記録媒体１７０を駆動するドライブ１７１と、データの符号化と復号化を行うコーデック部１７３と、装置の各部を制御するマイクロコンピュータ１７５と、装置において必要な情報を記録するメモリ１７８と、を主たる構成要素としている。また、１７２はＡ／Ｖ入力部、１７４はＡ／Ｖ出力部、１７６は動作表示部、１７７はキー入力部である。
【００３４】
データを記録する際には、放送局で配信されているデータをチューナで取り込んだものや、カムコーダで録画した動画、音声データがＡ／Ｖ入力部１７２から入力され、このデータをマイクロコンピュータ１７５がコーデック部１７３を制御して、記録媒体１７０に記録可能なデータに符号化し記録する。
【００３５】
データを再生する際には、マイクロコンピュータ１７５を制御して、記録媒体１７０から読み出されたデジタル信号をコーデック部１７３においてＡ／Ｖ出力部１７４の先につながるＴＶ等のモニタで表示できるデータに復号化してから再生する。
【００３６】
他の記録再生装置からデジタルデータを入力する際はデジタルＩ／Ｆ１７９を介して入力されたデータを記録媒体１７０に記録する。他の記録再生装置にデータを転送するときはマイクロコンピュータ１７５が記録媒体１７０を制御して、転送するデータを読み出しデジタルＩ／Ｆ１７９を介して出力する。
【００３７】
（本発明の説明）
（実施例１）
図１８は図１７のような構成を持つカムコーダ等の記録再生装置機器１８０とＨＤＤレコーダ等の据え置き型記録再生機器１８１の間で、ＵＳＢ等のデジタルインターフェースを介して動画音声データの転送を行う場合の概観を示す。
【００３８】
図１９はデータの転送元機器１８０内にある記録媒体１７０の概観であり、図１４に示すファイルデータが記録されている。
【００３９】
図１は本発明による転送方法を示す。また、図２１は本発明による転送方法のフローチャートを示す。ユーザが記録再生装置機器１８０内の記録媒体１７０に記録されているプレイリストファイル１３１に関連している部分を記録再生装置１８１へ転送する際に、図２０に示すように動作表示部１７６において、記録再生装置機器１８０に備わるボタンを操作してプレイリストファイル１３１を指示し、転送の要求をユーザが行う（Ｓ１０１、Ｓ１０２）。
【００４０】
プレイリストファイル２０１に関連するデータ全てを転送するか、プレイリスト１３１に該当するデータ部分だけを転送するかを、ユーザが選択する（Ｓ１０３）。この際、それぞれのモードで送る際の転送に要する時間と転送先に必要なデータ容量が表示される。
【００４１】
図２０（ｂ）において、「（２）関連する部分のデータのみを転送」が選ばれた場合は、転送元機器１８０の記録媒体１７０からデジタルＩ／Ｆ１７９を介して、プレイリスト１３１に記載されている再生順番（ＦＩＬＥＡ.mpgの全て→ＦＩＬＥＣ.mpgの一部→ＦＩＬＥＢ.mpgの全て）で動画、音声データが転送先機器１８１のデジタルＩ／Ｆ１７９を介して記録媒体１７０に記録され、転送が完了したら一つの動画、音声ファイル登録される（Ｓ１０４、Ｓ１０５）。動画、音声ファイル名は転送元である機器１８０内のプレイリストファイルのファイル名を拡張子だけ変更したもの（play list１３１.plf →play list １３１.mpg）を使用する（Ｓ１０４、Ｓ１０５）。転送後は図２７に示すように転送先の記録媒体１７０に記録される。またユーザが機器１８１のファイル構成を見た場合は図２９のようになる。
【００４２】
図２０（ｂ）において、「（１）関連するすべてのデータを転送」が選ばれた際は、ＦＩＬＥＡ.mpg、ＦＩＬＥＢ.mpg、ＦＩＬＥＣ.mpg及びplay  list １３１.plf  のすべてのファイルが転送元記録再生装置機器１８０の記録媒体１７０からデジタルＩ／Ｆ１７９を介して、転送先記録再生装置機器１８１のデジタルＩ／Ｆ１７９を介して記録媒体１７０に記録される。転送する順番はファイル単位で前後してもよい。ユーザが機器１８１のファイル構成を見た際には図２８のようになる（Ｓ１０６、Ｓ１０７）。
【００４３】
図１において、記録されているＦＩＬＥＡ，Ｂ，Ｃのストリームデータがビットレート６Ｍｂｐｓのデータである時、本発明による転送すべきデータ量は、
６，０００，０００［ｂｉｔ／ｓｅｃ］×（４５［ｍｉｎ］×６０［ｓｅｃ］）
＝１．６２×１０１０［ｂｉｔ］    …（３）
となる。転送する際にＵＳＢ１．０のフルスピードモードで行うと、転送速度は１２Ｍｂｐｓなので転送にかかる時間は、
１．６２×１０１０［ｂｉｔ］÷１２，０００，０００［ｂｉｔ／ｓｅｃ］
＝２２．５［分］    …（４）
となり、従来の方法よりも１５分ほど転送時間が短くなる。
【００４４】
プレイリストファイルが動画、音声ファイルを指定する位置は、ピクチャ単位での指定が可能なため、指定位置がＧＯＰ境界になるとは限らない。指定位置前部、後部がそれぞれＧＯＰ境界かどうか、送るべきデータの先頭ＧＯＰがクローズドＧＯＰかオープンＧＯＰかを判別し、その判別結果により転送する範囲を変える。
【００４５】
例として、転送時にプレイリストファイル１３１で指定されている動画、音声ファイル、ＦＩＬＥＣ.mpgの指定部分が前後それぞれでＧＯＰ境界との一致、不一致を判別する。図２２に示す様に指定前部、後部それぞれがＧＯＰ境界と一致しているならば、指定範囲をそのまま送る。ＧＯＰ２２０がオープンＧＯＰだった場合には、ＧＯＰ２２０ヘッダのブロークンリンクを立てる。
【００４６】
図２３に示す様に指定前部がＧＯＰ境界と一致しており、指定後部がＧＯＰ境界と一致していない場合には転送する範囲を、
（１）前部指定位置から後部指定位置直前のＧＯＰ境界まで、
（２）前部指定位置から後部指定位置まで、
（３）前部指定位置から後部指定位置直後のＧＯＰ境界まで、
のように変えることができる。
【００４７】
転送範囲が（１）の時にＧＯＰ２３０がオープンＧＯＰだった場合には、ＧＯＰ２３０ヘッダのブロークンリンクを立てる。
【００４８】
更に、図２４に示す様に指定前部がＧＯＰ境界と一致しておらず、指定後部がＧＯＰ境界と一致している場合には転送する範囲を、
（４）前部指定位置直後のＧＯＰ境界から後部指定位置まで、
（５）前部指定位置から後部指定位置まで、
（６）前部指定位置直前のＧＯＰ境界から後部指定位置まで、
のように変えることができる。
【００４９】
転送範囲が（４）の時にＧＯＰ２４０がオープンＧＯＰだった場合には、ＧＯＰ２４０ヘッダのブロークンリンクを立てる。転送範囲が（５）、（６）の時にＧＯＰ２４１がオープンＧＯＰだった場合には、ＧＯＰ２４１ヘッダのブロークンリンクを立てる。
【００５０】
図２５に示すように指定前部、後部ともにＧＯＰ境界と一致していない場合には、転送する範囲を、
（７）前部指定位置直後のＧＯＰ境界から後部指定位置直前のＧＯＰ境界まで、
（８）前部指定位置から後部指定位置まで、
（９）前部指定位置直前のＧＯＰ境界から後部指定位置直後のＧＯＰ境界まで、
のように変えることが出来る。
【００５１】
転送範囲が（７）の時にＧＯＰ２５０がオープンＧＯＰだった場合には、ＧＯＰ２５０ヘッダのブロークンリンクを立てる。転送範囲が（８）、（９）の時にＧＯＰ２５１がオープンＧＯＰだった場合には、ＧＯＰ２５１ヘッダのブロークンリンクを立てる。
【００５２】
転送する範囲が（２）、（５）、（８）の時は、完全なＧＯＰを形成できない部分があり、転送先で再生できない場合があるので、その時は転送先で消去する。
【００５３】
転送範囲が（１）、（４）の時は最大１ＧＯＰ弱、転送範囲が（７）の時は最大２ＧＯＰ弱のプレイリストに関連している動画、音声データが転送されない。また、転送範囲が（３）、（６）の時は最大１ＧＯＰ弱、転送範囲が（９）の時は最大２ＧＯＰ弱のプレイリストに関連していない余分なデータが送られる。しかし１ＧＯＰを再生時間０．５秒分のデータとすると、最大２ＧＯＰ弱のデータがビットレート６Ｍｂｐｓである時に、ＵＳＢのフルスピードモードで転送を行う時の転送時間は、
６００００００［ｂｉｔ／ｓｅｃ］×１［ｓｅｃ］÷１２００００００［ｂｉｔ／ｓｅｃ］
＝０．５［秒］    …（５）
であり、ユーザの大きな負担にはならない。
【００５４】
図２６は図２５に示す転送部分選択を行った時の転送後、転送先におけるファイルのデータ構成を示している。ＦＩＬＥＣ.mpg内指定部分が、転送後どのような構成になるかを、それぞれのケースで示す。
【００５５】
Ｃａｓｅ１：図２５に示す転送選択部分が（７）の場合には、ＧＯＰ２６０とＧＯＰ２６３は転送されない。ＧＯＰ２６１の前方境界部分からＧＯＰ２６２の後方境界部分までが転送され、転送先で記録するファイルの一部とする。図２５に示す転送選択部分が（８）の場合には、指定部分がそのまま転送されるために、転送時はＧＯＰ２６０とＧＯＰ２６３の一部が転送されるが、転送後、この部分は消去されるので転送後のデータ構成はＧＯＰ２６１の前方境界部分からＧＯＰ２６２の後方境界部分までを、転送先で記録するファイルの一部とする。
【００５６】
Ｃａｓｅ２：図２５に示す転送選択部分が（９）である場合には、転送後のデータ構成はＧＯＰ２６１の前方境界部分からＧＯＰ２６４の後方境界部分までを、転送先で記録するファイルの一部とする。
【００５７】
なお、多重化の際に付与される基準時間情報や符号化の単位毎に付与される時間情報は、プレイリストファイルに関連している転送元データファイル毎に異なっている。転送元から本発明による方法で転送する際には、転送する前にプレイファイルに登録されている複数ファイルの動画、音声データ部分を一つのファイルとする時に基準時間情報や符号化用時間情報を修正する方法と、修正せずにそのまま送る方法を持つ。
【００５８】
（実施例２）  
図３０で示すようなＤＶＤ３０１やフラッシュメモリなどのリムーバブルな記録メディアに、プレイリストファイルとそれに関わる動画音声ファイルが記録されている。この場合に、情報記録再生機器３００に内蔵されたＨＤＤにプレイリストの内容を転送したい場合も、図１、図２で示すような本発明で示す転送方法と、従来での転送方法を選択可能である。但しメディアにプレイリストファイルとそれに関わる動画音声ファイルを記録した機器において、該ファイルを他の機器でもアクセスできるようにメディアに処理を施さなくてはならない。ＤＶＤメディアではファイナライズという処理がこれにあたる。
【００５９】
例として図１３、図１４に示すようなプレイリストと動画音声データが記録されているＤＶＤメディア３０１から、プレイリスト１３１をＨＤＤに転送するための指示の様子を図３１に示す。またそのフローチャートを図３２に示す。
【００６０】
情報記録再生機器３００にプレイリストファイルと動画音声ファイルが記録されたＤＶＤメディア３０１を挿入する。その後、図３１に示すようにプレイリスト１３１を選択して、設定ボタンを押すことによりでてくるポップアップウインドウから情報記録再生機器３００に内蔵されたＨＤＤへ転送を指示する（Ｓ１０１〜Ｓ１０３）。次に図２０（ｂ）の画面が出てきて転送方法の選択をユーザが行う(Ｓ１０４)。
【００６１】
「（２）関連する部分のデータのみを転送」が選ばれた場合は、転送元ＤＶＤメディア３０１のから、プレイリスト１３１に記載されている再生順番（ＦＩＬＥＡ.mpgの全て→ＦＩＬＥＣ.mpgの一部→ＦＩＬＥＢ.mpgの全て）で動画、音声データが情報記録再生機器３００に内蔵されたＨＤＤに記録され、転送が完了したら一つの動画、音声ファイル登録される（Ｓ１０５、Ｓ１０６）。動画、音声ファイル名は転送元である機器１８０内のプレイリストファイルのファイル名を拡張子だけ変更したもの（play list１３１.plf →play list １３１.mpg）を使用する（Ｓ１０５、Ｓ１０６）。
【００６２】
図２０（ｂ）において、「（１）関連するすべてのデータを転送」が選ばれた際は、ＦＩＬＥＡ.mpg  ＦＩＬＥＢ.mpg  ＦＩＬＥＣ.mpg  play  list １３１.plf  のすべてのファイルが転送元ＤＶＤメディア３０１から、情報記録再生機器３００に内蔵されたＨＤＤに記録される（Ｓ１０７、Ｓ１０８）。
【００６３】
尚、本発明は上述の説明した実施例に限定されるものではなく、本発明の精神を逸脱することなく種々の変形が可能とされるものである。
【図面の簡単な説明】
【００６４】
【図１】本発明に係るデータ転送方法を説明する図である。
【図２】従来の記録再生装置間におけるデータ転送方法を説明する図である。
【図３】動画データがＭＰＥＧ２フォーマットで構成されている場合のデータ構造としてシーケンス層とＧＯＰ層を示す図である。
【図４】シーケンスヘッダに含まれるデータの種類を示す図である。
【図５】オープンＧＯＰとクローズドＧＯＰのフレーム間予測を説明する図である。
【図６】ＧＯＰヘッダの構造を説明する図である。
【図７】ＭＰＥＧ符号化器を示すブロック図である。
【図８】ＭＰＥＧ復号化器を示すブロック図である。
【図９】システム同期の概念図である。
【図１０】ディスク上のデータ構造を説明する図である。
【図１１】ファイル情報を示す図である。
【図１２】タイムマップ情報を示す図である。
【図１３】プレイリスト情報を示す図である。
【図１４】プレイリストの再生手順を説明する図である。
【図１５】プレイリストを参照した実編集を説明する図である。
【図１６】プレイリストを参照した実編集のフローチャートである。
【図１７】本発明に係る情報記録再生装置の構成を示すブロック図である。
【図１８】本発明によるデータ転送例を示す図である。
【図１９】転送元記録媒体内のデータ構成を示す図である。
【図２０】転送決定時の動作表示部を説明する図である。
【図２１】本発明に係るデータ転送方法を示すフローチャートである。
【図２２】転送部分の選択（指定部分がＧＯＰ境界と一致）を説明する図である。
【図２３】転送部分の選択（指定前部がＧＯＰ境界と一致）を説明する図である。
【図２４】転送部分の選択（指定後部がＧＯＰ境界と一致）を説明する図である。
【図２５】転送部分の選択（指定部分がＧＯＰ境界と不一致）を説明する図である。
【図２６】転送前と転送後のデータ構成を示す図である。
【図２７】転送先記録媒体内のデータ構成を示す図である。
【図２８】従来のプレイリスト転送方法実行後、転送先のファイル構成を示す図である。
【図２９】本発明のプレイリスト転送方法実行後、転送先のファイル構成を示す図である。
【図３０】記録メディアからの転送実施例を示す図である。
【図３１】記録メディアからの転送指示実施例を示す図である。
【図３２】記録メディアからのプレイリスト転送方法を示すフローチャートである。
【符号の説明】
【００６５】
１７０  記録媒体
１７１  ドライブ部
１７２  Ａ／Ｖ入力部
１７３  コーデック部
１７４  Ａ／Ｖ出力部
１７５  マイクロコンピュータ部
１７６  動作表示部
１７７  キー入力部
１７８  メモリ 
１８０  転送元機器
１８１  転送先機器
２００  プレイリストファイル０
２０１  プレイリストファイル１
３００  ＨＤＤ記録再生装置
３０１  ＤＶＤ記録メディア
【図２０】
2006073173.tif 000003
【図１】
2006073173.tif 000004
【図２】
2006073173.tif 000005
【図３】
2006073173.tif 000006
【図４】
2006073173.tif 000007
【図５】
2006073173.tif 000008
【図６】
2006073173.tif 000009
【図７】
2006073173.tif 000010
【図８】
2006073173.tif 000011
【図９】
2006073173.tif 000012
【図１０】
2006073173.tif 000013
【図１１】
2006073173.tif 000014
【図１２】
2006073173.tif 000015
【図１３】
2006073173.tif 000016
【図１４】
2006073173.tif 000017
【図１５】
2006073173.tif 000018
【図１６】
2006073173.tif 000019
【図１７】
2006073173.tif 000020
【図１８】
2006073173.tif 000021
【図１９】
2006073173.tif 000022
【図２１】
2006073173.tif 000023
【図２２】
2006073173.tif 000024
【図２３】
2006073173.tif 000025
【図２４】
2006073173.tif 000026
【図２５】
2006073173.tif 000027
【図２６】
2006073173.tif 000028
【図２７】
2006073173.tif 000029
【図２８】
2006073173.tif 000030
【図２９】
2006073173.tif 000031
【図３０】
2006073173.tif 000032
【図３１】
2006073173.tif 000033
【図３２】
2006073173.tif 000034